(57)【特許請求の範囲】
【請求項１】
線形切断ステープラであって、互いに対して開閉可能な上側顎部および下側顎部を含み、ステープルカートリッジが前記下側顎部の遠位端部に設けられ、前記下側顎部は、発射片およびカッタ押し棒をその中に摺動可能に設けられたＵ字形を有し、
前記線形切断ステープラは、安全部材と開口とを含む安全機構をさらに含み、前記開口は前記発射片に配置され、前記安全部材を受けるように構成され、前記安全部材は、前記発射片における前記開口と係合するための係合部分と、前記ステープルカートリッジによって駆動されるための固定部分とを含む停止ブロックであり、前記固定部分および前記係合部分は、前記下側顎部の軸に沿った前記停止ブロックの２つの側にそれぞれ配置され、前記ステープルカートリッジの取り付けまたは取り外しは、前記停止ブロックの前記係合部分を前記発射片の前記開口から係合解除するかまたはそれと係合させることができるよう、前記停止ブロックの前記固定部分を前記下側顎部の軸に垂直な方向に移動するように駆動する、線形切断ステープラ。
【請求項２】
前記係合部分の外側輪郭は、前記発射片の前記開口の内側輪郭と同一である、請求項１に記載の線形切断ステープラ。
【請求項３】
前記固定部分の頂部表面は前記係合部分の頂部表面より高い、請求項２に記載の線形切断ステープラ。
【請求項４】
前記固定部分は板ばねの頂部表面に固定的に接続され、前記板ばねの底面は前記下側顎部の内側底面に固定され、前記固定部分の底面が前記板ばねの前記底面より高いように、前記板ばねの軸は前記下側顎部の軸と交差する、請求項３に記載の線形切断ステープラ。
【請求項５】
前記板ばねは溶接によって前記停止ブロックおよび前記下側顎部の両方に固定される、請求項４に記載の線形切断ステープラ。
【請求項６】
前記下側顎部の前記内側底面は、細長いスロットを含むスペーサをその上に設けられ、前記板ばねが前記細長いスロットを通過することを可能にするようにする、請求項５に記載の線形切断ステープラ。
【発明の詳細な説明】
【技術分野】
【０００１】
この出願は、「線形切断ステープラ」と称され、２０１０年１２月１０日に中華人民共和国国家知識産権局に提出された、中国特許出願第２０１０１０５８１５５７．０号に対する優先権の恩恵を主張し、その全開示をここに引用により援用する。
【０００２】
発明の分野
この出願は、医療器具の技術分野に属する線形切断ステープラに関する。
【背景技術】
【０００３】
発明の背景
線形切断ステープラは、外科手術において傷縫合ならびに内部組織縫合および切除に対して広く用いられる。米国特許第５，１２９，５７０号において開示されるような典型的な線形切断ステープラは、傷をステープルで留める一方で余分な組織を除去するために、ステープルで留めることおよび切断することの２つの機能を実行する。この種の線形切断ステープラは、一般に、２つの顎部（つまり上側顎部および下側顎部）と、上側顎部および下側顎部を閉じるための閉じハンドルと、それぞれ上側顎部および下側顎部の前端で互いに対向して配置されたステープルアンビルおよびステープルカートリッジと、ステープルカートリッジに配置され、ステープルカートリッジに対して同期して移動可能な、発射片およびカッタと、発射片およびカッタの移動を駆動するための押しボタンとを含む。ステープルはステープルカートリッジに配置される。発射片はステープルプッシャを連続的に押し、ステープルをステープルアンビルに向かって押す。カッタは、ステープルカートリッジとステープルアンビルとの間の組織を切断する。
【０００４】
器具のステープルカートリッジは、交換されることによって複数回用いることが可能である。臨床応用においては、組織を複数回ステープルで留めて切断することががしばしば必要であり、したがって、ステープルカートリッジは動作中に何回も交換されることが要求される。ステープルカートリッジが装填されていないとき、押しボタンは前方へ任意に押され得、次いで、カッタが押し出されるかもしれない。これは、ステープルで留めずに、切断のみから生じるような、ゆゆしい結果を引起すかもしれない。したがって、先行技術においては、安全機構が線形切断ステープラに設けられる。
【０００５】
米国特許第５，１２９，５７０号は安全機構を開示し、そこにおいては、カッタ通路およびステープル押し棒通路を有する安全ブロックが、器具の中間部分に設けられ、板ばねがカッタの下に設けられる。器具が開位置にあるとき、つまり上側顎部および下側顎部が閉じていないとき、板ばねはカッタを上方へ持上げ、そのため、カッタはカッタ通路を通過することができず、それによって、安全性の役割を果たす。ステープルカートリッジが器具に装填されて、２つの上側顎部および下側顎部が閉じられた後、ステープルカートリッジはカッタの頂部部分を押し、そのため、カッタは板ばねの弾性力を克服し、カッタ通路と整列するよう戻る。この時、安全機構は非活性化され、器具は用いるために発射されることが可能である。
【０００６】
米国特許第７，０５５，７３０号は、別の安全機構を開示し、そこにおいては、カッタ押し棒通路およびステープル押し棒通路を備えた安全ブロックが、器具の中間部分に設けられ、安全ブロックはねじりばねの作用の下で器具のまわりで回転可能である。器具が開位置にあるとき、つまり上側顎部および下側顎部が閉じていないとき、安全ブロックは、ステープル押し棒もカッタ押し棒もそれらの通路を通過することを許されないようにねじられ、それによって、安全性の役割を果たす。ステープルカートリッジが器具に装填されて、上側顎部および下側顎部が閉じられた後、ステープルカートリッジは安全ブロックを押し、そのため、安全ブロックはねじりばねの弾性力を克服し、通常位置に戻る。すなわち、ステープル押し棒およびカッタ押し棒は、安全ブロック上のそれらの通路とそれぞれ整列し、そのため、ステープル押し棒およびカッタ押し棒の両方は、安全ブロックを通過することを許される。この時、安全機構は非活性化され、器具は用いるために発射されることが可能である。
【０００７】
上記の構造はすべて複雑であり、製造および組付けが困難であり、ならびに高価である。
【発明の概要】
【発明が解決しようとする課題】
【０００８】
この出願の目的は、単純構造を有する安全機構を備えた線形切断ステープラを提供することである。
【課題を解決するための手段】
【０００９】
この出願の目的は以下の技術的解決策によって実現される。
線形切断ステープラが提供され、互いに対して開閉可能な上側顎部および下側顎部を含み、ステープルカートリッジが下側顎部の遠位端部に設けられる。下側顎部は、発射片およびカッタ押し棒を摺動可能に設けられたＵ字形を有する。線形切断ステープラは、安全部材と開口とを含む安全機構をさらに含む。開口は発射片上に配置され、安全部材を受けるように用いられる。ステープルカートリッジの取り付けまたは取り外しは、安全部材を発射片の開口から係合解除するかまたはそれと係合させることができるよう、安全部材を下側顎部の軸に垂直な方向に移動するように駆動してもよい。
【００１０】
さらに、安全部材は係合部分を含む停止ブロックであり、係合部分の外側輪郭は発射片の開口の内側輪郭と同一である。
【００１１】
さらに、停止ブロックは、さらに、ステープルカートリッジによって駆動されるための溶接部分を含む。
【００１２】
さらに、溶接部分および係合部分は、停止ブロックの両側にそれぞれ配置される。
さらに、溶接部分の頂部表面は係合部分のそれより高い。
【００１３】
さらに、溶接部分は、板ばねの頂部表面に固定的に接続される。板ばねの底面は、下側顎部の内側底面に固定される。溶接部分の底面が板ばねの底面より高いように、板ばねの軸は下側顎部のそれと交差する。
【００１４】
さらに、板ばねは溶接によって停止ブロックおよび下側顎部の両方に固定される。
さらに、下側顎部の内側底面は、細長いスロットを含むスペーサをその上に設けられる。板ばねは細長いスロットを通過する。
【００１５】
この出願は、単純構造を有し、容易に製造され、安全で信頼性があり、十分な奨励値を有するといった主な恩恵のある効果を有する。
【図面の簡単な説明】
【００１６】
【図１】この出願に従う、ステープルカートリッジが示されない状態での、下側顎部の概略的な構造の図である。
【図２】図１における部分Ａの拡大図である。
【図３】この出願に従う下側顎部の分解概略図である。
【図４】この出願に従う、ステープルカートリッジが装填されない状態での、下側顎部の断面図である。
【図５】この出願に従う、ステープルカートリッジが装填された状態での、下側顎部の断面図である。
【発明を実施するための形態】
【００１７】
発明の詳細な説明
図１〜図３に示されるように、この出願は線形切断ステープラのための安全機構を提供する。先行技術に類似して、線形切断ステープラは、プラスチックシェル、ならびに互いに対して開閉可能な上側顎部および下側顎部を含む。ステープルアンビル（図示せず）は上側顎部の遠位端部に設けられ、ステープルカートリッジ２は下側顎部１の遠位端部に設けられる。もちろん、上側顎部および下側顎部の位置は入れ替え可能であってもよく、この出願におけるそのような定義は明瞭にするためにのみある。
【００１８】
下側顎部１はＵ字形である。発射片５およびカッタ押し棒（図示せず）は、それぞれ、ステープルプッシャの発射および組織の切断のために、下側顎部１の遠位端部に摺動可能に設けられる。使用においては、組織は、ステープルアンビルとステープルカートリッジとの間に置かれ；次いで、上側顎部および下側顎部は、組織をクランプできるように、ハンドルを閉じるように互いに向けて移動され；次いで、上側顎部および下側顎部の近位端部に配置された発射押しボタンが押されて、組織をステープルで留めるかまたは切断する。
【００１９】
この出願は、線形切断ステープラが新規な安全機構を含むことにおいて特徴づけられる。安全機構は、安全部材、および安全部材を受けるために発射片５上に配置された開口５２を含む。開口５２は発射片５の発射端部５１に近い。この好ましい実施例においては、安全部材は、係合部分４１を含む停止ブロック４である。係合部分４１の外側輪郭は、発射片５の開口５２の内側輪郭と同一である。ステープルカートリッジ２の取り付けまたは取り外しは、停止ブロック４の係合部分４１を発射片５の開口５２から係合解除するかまたはそれと係合させ、それによって安全機構の非活性化および活性化を達成するよう、停止ブロック４を下側顎部１の軸に垂直な方向に移動するように駆動してもよい。
【００２０】
図４と関連して、下側顎部１に対する発射片５の移動を制限するために、係合部分４１は開口５２に係合される。図５と関連して、係合部分４１は、ステープルカートリッジ２によって押圧された後、発射片５から係合解除される。その結果、発射片５は下側顎部１に対して可動である。
【００２１】
さらに、停止ブロック４は、さらに、ステープルカートリッジ２によって駆動されるための溶接部分４２を含んでもよい。溶接部分４２および係合部分４１は、停止ブロック４の２つの側部にそれぞれ配置される。すなわち、係合部分４１に加えて、停止ブロック４の他方の端部が、ステープルカートリッジ２によって駆動されてもよい。
【００２２】
好ましくは、図３に示されるように、溶接部分４２の頂部表面は係合部分４１のそれより高い。このように、ステープルカートリッジ２が下側顎部１の上に取り付けられるとき、ステープルカートリッジ２は好ましくは溶接部分４２と接触してもよい。停止ブロック４の剛性のために、溶接部分４２は、係合部分４１を駆動して、発射片５の開口５２から係合を解除してもよい。
【００２３】
この好ましい実施例においては、溶接部分４２は、板ばね３の頂部表面３２に固定的に接続される。板ばね３の底面３２は下側顎部１の内側底面１１に固定される。板ばね３の軸は下側顎部１のそれと交差する。すなわち、板ばね３は、下側顎部１に斜めに配置され、従って、溶接部分４２の底面は、板ばね３の底面３１より高く、高さの差を、溶接部分４２と下側顎部１の内側底面１１との間において維持して、停止ブロック４の移動距離を保証する。ある場合には、下側顎部１の内側底面１１はその上にスペーサ６を設けられてもよいので、スペーサ６は、板ばね３が通過するための細長いスロット６１を含むように要求される。スペーサ６が設けられない場合、１つのスロットが、板ばねと顎部との間の溶接ジョイントに配置されてもよい。板ばねは、顎部の外側表面上に溶接される。 
【００２４】
さらに、この好ましい実施例においては、板ばね３は、溶接によって、停止ブロック４および下側顎部１の両方に固定される。この出願に従う器具は、単純構造を有し、容易に製造され、安全で信頼性があり、十分な奨励値を有する。
【００２５】
この出願は、さらに、様々な実施例を含む。等価な変形または等価な修正によって形成されたすべての技術的解決策が、この出願の保護範囲に入る。
【符号の説明】
【００２６】
図１〜図５における参照番号。
１：下側顎部；１１：内側底面；２：ステープルカートリッジ；３：板ばね；３１：底面；３２：頂部表面；４：停止ブロック；４１：係合部分；４２：溶接部分；５：発射片；５１：発射端；５２：開口；６：スペーサ；６１：細長いスロット。
【図１】
0005680763.tif 000002
【図２】
0005680763.tif 000003
【図３】
0005680763.tif 000004
【図４】
0005680763.tif 000005
【図５】
0005680763.tif 000006